(57)【要約】シロアリ取り込み用の誘引物（例えばおがくず）を含んだシロアリ駆除用組成物，シロアリ寄生用の線虫個体群（例えばスタイナーネマ・エスピー（Steinernema sp.））および、ゲル状媒体（例えばポリマーゲル）を開示する。ゲル状媒体は、線虫の寿命を延ばし、シロアリ駆除装置の使用環境にともなう上記組成物中の線虫個体群の減少を少なくする。シロアリ駆除装置は、シロアリが装置に入り込める複数開口部を形成した複数の壁からなる外側収容部と、シロアリ駆除用組成物を収容する内側収容部とを有している。内側収容部は、シロアリ駆除装置に入り込んだシロアリがシロアリ駆除用組成物に到達できるための複数開口部を形成した、複数の壁を備えている。内側収容部の開口部付きの壁を、外側収容部の開口部付きの壁から離間させることにより、使用環境にともなう線虫の減少損失を少なくしている。
2012528592.tif 000002
【特許請求の範囲】
【請求項１】
シロアリ駆除ステーションにおいて、
線虫を含んだシロアリ駆除用組成物が収容されて、当該シロアリ駆除用組成物にシロアリが近づけるように少なくとも一つの内側開口部が形成された壁を有する内側収容部と、
シロアリがシロアリ駆除ステーションに入り込めるための少なくとも一つの外側開口部が形成された壁を有する外側収容部と、を備え、
前記内側収容部は、
前記外側収容部に、前記内側開口部を形成した内側収容部壁が前記外側開口部を形成した外側収容部壁との間隔を有する形で、設けられている、
ことを特徴とするシロアリ駆除ステーション。
【請求項２】
前記内側開口部を形成した内側収容部壁と前記外側開口部を形成した外側収容部壁との間に乾燥領域が設けられている、
ことを特徴とする請求項１記載のシロアリ駆除ステーション。
【請求項３】
前記内側開口部を形成した内側収容部壁と前記外側開口部を形成した外側壁との前記間隔は、
少なくとも約0.5cmである、
ことを特徴とする請求項１記載のシロアリ駆除ステーション。
【請求項４】
前記内側開口部を形成した内側収容部壁と前記外側開口部を形成した外側収容部壁との前記間隔は、
約1cmから約3cmの範囲である、
ことを特徴とする請求項１記載のシロアリ駆除ステーション。
【請求項５】
前記内側収容部および前記外側収容部は、
それぞれ上方が開口している、
ことを特徴とする請求項１記載のシロアリ駆除ステーション。
【請求項６】
前記内側収容部および前記外側収容部の開口した上方をカバーするカバー体を備えている、
ことを特徴とする請求項５記載のシロアリ駆除ステーション。
【請求項７】
前記内側収容部および前記外側収容部は、
プラスチック製のものである、
ことを特徴とする請求項１記載のシロアリ駆除ステーション。
【請求項８】
前記内側収容部および前記外側収容部は、
少なくとも約10ヶ月の有効期間を有する材料で作られたものである、
ことを特徴とする請求項１記載のシロアリ駆除ステーション。
【請求項９】
前記内側収容部は、
円筒状容器または角筒状容器である、
ことを特徴とする請求項１記載のシロアリ駆除ステーション。
【請求項１０】
前記外側収容部は、
円筒状容器または角筒状容器である、
ことを特徴とする請求項１記載のシロアリ駆除ステーション。
【請求項１１】
前記内側開口部および前記外側開口部は、
想定シロアリのサイズよりも大きい断面積を有している、
ことを特徴とする請求項１記載のシロアリ駆除ステーション。
【請求項１２】
シロアリ誘引物と、
カムペーンペット(Kampangphet)種のスタイナーネマを含む線虫個体群と、
前記線虫個体群を収容するためのゲル状媒体と、
からなる、
ことを特徴とするシロアリ駆除用組成物。
【請求項１３】
前記ゲル状媒体は、
ポリマーからなる、
ことを特徴とする請求項１２記載のシロアリ駆除用組成物。
【請求項１４】
前記ポリマーは、
少なくともポリアクリルアミド，酢酸ビニルエチレン共重合体，ポリアクリル酸，ポリアクリル酸ナトリウム，アルギン酸ヒドロゲルの一つからなる、
ことを特徴とする請求項１３記載のシロアリ駆除用組成物。
【請求項１５】
前記ゲル状媒体は、
少なくとも粉砕ポリマーおよび蒸留水の混合物，ポリマーゲルの一つからなる、
ことを特徴とする請求項１２記載のシロアリ駆除用組成物。
【請求項１６】
前記シロアリ誘引物は、
少なくともシロアリ用飼料，シロアリ用フェロモンの一つからなる、
ことを特徴とする請求項１２記載のシロアリ駆除用組成物。
【請求項１７】
前記シロアリ誘引物は、
少なくともセルロース，おがくず，樹皮の一つからなる、
ことを特徴とする請求項１２記載のシロアリ駆除用組成物。
【請求項１８】
前記シロアリ誘引物は、
シロアリ駆除用組成物のグラムあたり約0.13gのおがくずからなる、
ことを特徴とする請求項１２記載のシロアリ駆除用組成物。
【請求項１９】
前記シロアリ誘引物は、
シロアリ駆除用組成物の約36gあたり約0.5gから約1gのセルロース粉末からなる、
ことを特徴とする請求項１２記載のシロアリ駆除用組成物。
【請求項２０】
少なくともシロアリ駆除用組成物のグラムあたり0.0035gの粉砕ポリマーを有している、
ことを特徴とする請求項１５記載のシロアリ駆除用組成物。
【請求項２１】
少なくともシロアリ駆除用組成物のグラムあたり0.25gのポリマーゲルを有している、
ことを特徴とする請求項１５記載のシロアリ駆除用組成物。
【請求項２２】
前記線虫個体群は、
少なくともシロアリ駆除用組成物のグラムあたり約7000匹の線虫からなる、
ことを特徴とする請求項１２記載のシロアリ駆除用組成物。
【請求項２３】
蒸留水を含んでいる、
ことを特徴とする請求項１２記載のシロアリ駆除用組成物。
【請求項２４】
少なくともシロアリ駆除用組成物のグラムあたり約0.5mLの蒸留水を含んでいる、
ことを特徴とする請求項１２記載のシロアリ駆除用組成物。
【請求項２５】
少なくとも4ヶ月の有効期間を備えた組成物である、
ことを特徴とする請求項１２記載のシロアリ駆除用組成物。
【請求項２６】
前記シロアリ誘引物が第一の容器部分にあらかじめ収容され、
前記線虫個体群および前記ゲル状媒体が第二の容器部分にあらかじめ収容されている、
ことを特徴とする請求項１２記載のシロアリ駆除用組成物。
【請求項２７】
前記第一の容器部分は多区画容器の第一の区画であり、
前記第二の容器部分は前記多区画容器の第二の区画であり、
前記多区画容器は、前記第一の区画および前記第二の区画の間に壊れやすいセパレータを有している、
ことを特徴とする請求項２６記載のシロアリ駆除用組成物。
【請求項２８】
シロアリ駆除ステーションにおいて、
壁のセットからなり、その少なくとも一つの壁に、シロアリが通過できるための少なくとも一つの内側開口部が形成されている内側収容部と、
壁のセットからなり、その少なくとも一つの壁に、シロアリが通過できるための少なくとも一つの外側開口部が形成されている外側収容部と、
前記内側収容部の前記壁のセット内部に配されたシロアリ駆除用組成物とからなり、
前記シロアリ駆除用組成物は、
シロアリ誘引物と、
線虫個体群と、
当該線虫個体群を収容するためのゲル状媒体とからなり、
前記内側収容部は、
前記外側収容部に、前記内側開口部を形成した内側収容部壁が前記外側開口部を形成した外側収容部壁との間隔を有する形で、設けられている、
ことを特徴とするシロアリ駆除ステーション。
【請求項２９】
前記内側開口部を形成した内側収容部壁と前記外側開口部を形成した外側収容部壁との間に乾燥領域が設けられている、
ことを特徴とする請求項２８記載のシロアリ駆除ステーション。
【請求項３０】
前記内側開口部を形成した内側収容部壁と前記外側開口部を形成した外側壁との前記間隔は、
少なくとも約0.5cmである、
ことを特徴とする請求項２８記載のシロアリ駆除ステーション。
【請求項３１】
前記内側収容部および前記外側収容部は、
それぞれ上方が開口している、
ことを特徴とする請求項２８記載のシロアリ駆除ステーション。
【請求項３２】
前記内側収容部および前記外側収容部の開口した上方をカバーするカバー体を備えている、
ことを特徴とする請求項３１記載のシロアリ駆除ステーション。
【請求項３３】
前記線虫個体群は、
カムペーンペット(Kampangphet)種のスタイナーネマを含んでいる、
ことを特徴とする請求項２８記載のシロアリ駆除ステーション。
【請求項３４】
前記ゲル状媒体は、
少なくともポリアクリルアミド，酢酸ビニルエチレン共重合体，ポリアクリル酸，ポリアクリル酸ナトリウム，アルギン酸ヒドロゲルの一つからなる、
ことを特徴とする請求項２８記載のシロアリ駆除ステーション。
【請求項３５】
前記ゲル状媒体は、
少なくとも粉砕ポリマーおよび蒸留水の混合物，ポリマーゲルの一つからなる、
ことを特徴とする請求項２８記載のシロアリ駆除ステーション。
【請求項３６】
前記シロアリ誘引物は、
少なくともセルロース，おがくず，樹皮，シロアリ用フェロモンの一つからなる、
ことを特徴とする請求項２８記載のシロアリ駆除ステーション。
【請求項３７】
前記シロアリ誘引物は、
シロアリ駆除用組成物のグラムあたり約0.13gのおがくずからなる、
ことを特徴とする請求項２８記載のシロアリ駆除ステーション。
【請求項３８】
前記シロアリ誘引物は、
シロアリ駆除用組成物の約36gあたり約0.5gから約1gのセルロース粉末からなる、
ことを特徴とする請求項２８記載のシロアリ駆除ステーション。
【請求項３９】
前記シロアリ駆除用組成物は、
少なくともシロアリ駆除用組成物のグラムあたり0.0035gの粉砕ポリマーを有している、
ことを特徴とする請求項３５記載のシロアリ駆除ステーション。
【請求項４０】
前記シロアリ駆除用組成物は、
少なくともシロアリ駆除用組成物のグラムあたり0.25gのポリマーゲルを有している、
ことを特徴とする請求項３５記載のシロアリ駆除ステーション。
【請求項４１】
前記線虫個体群は、
少なくともシロアリ駆除用組成物のグラムあたり約7000匹の線虫からなる、
ことを特徴とする請求項２８記載のシロアリ駆除ステーション。
【請求項４２】
蒸留水を含んでいる、
ことを特徴とする請求項２８記載のシロアリ駆除ステーション。
【請求項４３】
少なくともシロアリ駆除用組成物のグラムあたり約0.5mLの蒸留水を含んでいる、
ことを特徴とする請求項２８記載のシロアリ駆除ステーション。
【発明の詳細な説明】
【技術分野】
【０００１】
本開示は、全般的に、シロアリ駆除装置に関する発明である。厳密に言えば、本件は、シンプルで無害、かつシロアリを誘引する装置に関する発明であり、前記シロアリ駆除装置を準備し使用する手順を説明したものである。
【背景技術】
【０００２】
シロアリ駆除のために、様々な手段や技術が使われてきた。概して、シロアリ駆除の手段や技術は駆除剤の種類の特性に基づいて分類される。
【０００３】
例えば、三酸化ヒ素をシロアリ生息場所に散布する方法や、薫蒸消毒およびシロアリ誘引物を餌に使用する方法、体内摂取される毒物や有毒化学物質をシロアリ駆除に使用する方法がある。一方、シロアリを捕食する生物学的殺虫体（例えば鳥やかぶと虫）、疾病誘発体（例えばカビ）もしくは寄生虫（例えば線虫類）があげられる。
【０００４】
概して、化学的殺虫剤はシロアリの発生を抑えるに有効だが、シロアリ駆除に用いられる大半の有毒性化学的殺虫剤は環境および人間に大変危険なものである。したがって、環境および人間に無害な生物学的殺虫剤は次第にシロアリ駆除剤として化学的殺虫剤より用いられるようになってきた。
【０００５】
シロアリ駆除技術として、シロアリの生息場所および通り道に直接線虫を散布するというような生物的殺虫剤を用いる方法がある。線虫は環境変化に敏感なため、線虫を直接シロアリの生息場所や通り道に散布する方法では、通常、シロアリを浸食する前に線虫そのものが死んでしまう。
【０００６】
よって、このように線虫を直接シロアリに散布する方法では、シロアリ駆除に効果もなく、必ず除去できるという確実性もない。環境と人間に無害な物質をシロアリ除去に使用しようという意識が高まる中、無害かつシンプルな仕組みで、シロアリの駆除に効果的かつ信頼性もあり、取扱いも簡単なシロアリ駆除技術へのニーズが存在する。
【概要】
【０００７】
本開示の特徴として、線虫を含むシロアリ駆除用組成物を収容し、シロアリが前記シロアリ駆除用組成物に到達できるための少なくとも一つの開口部が形成された壁を有する内側収容部と、シロアリが入り込める少なくとも一つの開口部が形成された壁を有する外側収容部を備えたシロアリ駆除ステーションがあげられる。
【０００８】
内側収容部は、少なくとも一つの開口部が形成された外側収容部壁から、少なくとも一つの開口部が形成された内側収容部壁まで特定の間隔を有する外側収容部に設けられている。
【０００９】
他の特徴として、シロアリ誘導剤、カムペーンペット（Kampangphet）地方で得られるスタイナーネマ属の線虫個体群、および当該線虫個体群を生息させるためのゲル状媒体、を含むシロアリ駆除用組成物があげられる。
【００１０】
本開示のシロアリ駆除ステーションは、
壁のセットからなり、その少なくとも一つの壁にシロアリが通過できる少なくとも一つの内側開口部を形成した内側収容部と、
壁のセットからなり、その少なくとも一つの壁にシロアリが通過できる少なくとも一つの外側開口部を形成した外側収容部と、
内側収容部を構成するセットの壁の内部に配されたシロアリ駆除用組成物と、
を有している。
【００１１】
シロアリ駆除用組成物は、シロアリ誘引物，線虫個体群，当該を線虫個体群を保持，培養するためのゲル状媒体からなる。
【００１２】
また、内側収容部は、外側収容部に、少なくとも一つの内側開口部を形成した内側収容部壁が少なくとも一つの外側開口部を形成した外側収容部壁から所定間隔を有する形で、設けられている。
【図面の簡単な説明】
【００１３】
本開示の代表的な実施例を添付図面にしたがって説明する。
【図１】図１は代表的なシロアリ駆除装置の実施例を示す説明図である。
【図２】図２は代表的なパック済みシロアリ駆除用組成物を示す説明図である。
【図３】図３は代表的なシロアリ駆除装置の他の実施例を示す説明図である。
【詳細な説明】
【００１４】
本開示の様々な実施例は、線虫を含むシロアリ駆除用組成物の収容，保持を容易にするための簡単なシロアリ駆除用組成物、シロアリ駆除ステーション、シロアリ駆除装置の構造や機能に関するものである。
【００１５】
シロアリ駆除用組成物の目的は、(1)シロアリをステーションへ誘引し、(2)シロアリ駆除装置に入り込んだシロアリを効果的に浸食する適量の線虫を供給して、シロアリコロニーを絶滅させることである。
【００１６】
以下記載の通り、シロアリ駆除装置の様々な実施例は、シロアリ個体群に（例えば、信頼性あるおよび／または効果的な方法で）侵入して抑制するため、線虫を容易に供給するための、サブシステム、装置、構造要素を含んでいる。
【００１７】
本開示を様々な方法にて実施するシステム、装置、技術および処理により、線虫の減少を抑制し生存期間を延長し、線虫の餌用組成物により線虫の生存率が上昇した。そして、本開示に従いシロアリ駆除装置を設置した場合、既存のシロアリの数の抑制システムとは対照的に、適切な数の健康な線虫が妥当な数のシロアリを浸食することが可能となる。
【００１８】
先行例におけるシロアリ駆除システムおよびシロアリ駆除技術に関連する問題点および限界を指摘し克服する方法により、シロアリを駆除する本発明の詳細は、図１から図３を用いて以下詳しく説明する。
【００１９】
簡潔かつ明解にするために、ここでは本開示の様々な側面を、複数の区画に仕切られた装置を用いたシロアリ駆除に適した特定の配置方法に焦点をあわせて説明する。
【００２０】
しかしながら、以下化の説明によって、その構造面、使用面、機能面またはパフォーマンス特性などの開示例についての原則が、他のシステム、サブシステム、装置、および、又はプロセスへ適用されることを、排除するものではない。
【００２１】
図１は、本開示の実施例に基づく代表的なシロアリ駆除装置100を示している。実施例のシロアリ駆除装置100は、内側の区画、箱、容器、収容部110と、外側の区画、箱、容器，収容部120と、カバー体130とを有している。シロアリ駆除装置100は、更にシロアリ駆除用組成物（図示省略）を有している。
【００２２】
シロアリ駆除装置100の特徴は、複数区画のシロアリ駆除ステーションを形成して、(1)装置へシロアリをおびき寄せ、(2)装置に入り込んだシロアリに寄生させる線虫を供給するためのシロアリ駆除用組成物の配置、維持および／又は保存を可能にすることである。
【００２３】
例えば、内側収容部110は、シロアリに寄生し駆除するための線虫、およびシロアリ駆除装置100にシロアリをおびき寄せるための誘引物を含むシロアリ駆除用組成物を、保持、受け入れ又は運搬できるような、構造，形状，組立て態様のものである。
【００２４】
様々な実施例において、内側収容部110および外側収容部120は、シロアリが内側収容部110および外側収容部120の壁を伝ってシロアリ駆除用組成物に近づき、到達、接触し、そして捕食できるような、構造，形状，組立て態様のものである。
【００２５】
このような仕組みにより、線虫は内側収容部110内の理想の環境から外に出ることなく、シロアリに寄生することができる。
【００２６】
更に、外側収容部120は、シロアリ駆除ステーション100の中に適切な量の線虫を確保し、線虫が内側収容部110の内部から外側収容部120ひいてはシロアリ駆除装置100の外部への移動による線虫減少損失を少なくするような特定の場所、位置、向きに、内側収容部110を収容，保持できるような、構造，形状，組立て態様のものである。
【００２７】
様々な実施例におけるシロアリ駆除用組成物は、一般に、シロアリを誘い出して引き付ける効果をもつ少なくとも一種のシロアリ誘引物を含み、シロアリに浸食し、殺虫し、絶滅させる線虫個体群から成る。
【００２８】
加えて、組成物には、内側収容部内に留まるような線虫個体群を包理，収容，保持，培養するようなゲル状媒体、ゲル状物質、またはゲル状担体を含む。線虫が内側収容部に留まることにより、線虫の寿命が長くなる。即ち、シロアリをおびき寄せるシロアリ駆除用組成物の貯蔵寿命も長くなる。大半の実施例において、線虫がゲル状媒体、ゲル状物質、またはゲル状担体が食べることはなかった。
【００２９】
基本的に、シロアリ誘引物には、シロアリを引き寄せる効果を有する任意の化合物および原料が含まれる。様々な実施例において、基本的に、シロアリが食べる如何なる食物源でも、シロアリ誘引物に適していると言える。シロアリの主な食料源はセルロースであるため、シロアリ誘引物はセルロースを含む物質、もしくは、セルロースベースの物質となる。
【００３０】
誘引物の例として、セルロースパウダー、おがくず、樹皮、紙類があげられる。代表的な実施例として、シロアリ誘引物としてセルロースパウダーとおがくずの混合物を使用したものがある。
【００３１】
開示例の中には、シロアリ誘引物を乾いた状態で使用するよりも、湿った状態で使用したほうがシロアリを誘因しやすいので、シロアリ誘引物を湿った状態で使用している例もある。
【００３２】
別の開示例においては、シロアリ誘引物を乾いた状態で使用する例もある。以下、詳細な記載のとおり、様々な実施例において、ゲル状媒体に水もしくは他の液体を含ませシロアリ誘引物を湿った状態にしておくには、シロアリ誘引物にはゲル状媒体、ゲル状物質、またはゲル状担体の混合物が使用されている。
【００３３】
実施例の中には、上記誘引物に、シロアリを引き寄せるフェロモンを追加したものもあり、このフェロモンはシロアリをおびき寄せる組成物に使用されている線虫には無害のものである。シロアリを引き寄せるフェロモンの例として、不飽和脂肪族アルコール「(3Z,6Z,8E)-3,6,8-ドデカトリエン-1-ol，ジテルペン(E,E,E)-ネオセンブレン」等があげられる。
【００３４】
シロアリ駆除用組成物の中に含まれるシロアリ誘引物の量は、シロアリがその誘引物を検出するのに十分な分量でなければならない。誘引物が十分な分量であるからこそ、シロアリをおびき寄せるという効果が発揮されるのである。
【００３５】
シロアリ駆除装置100の寸法およびシロアリ駆除用組成物をどこに設置するかということにより、適切な分量のシロアリ駆除用組成物内のシロアリ誘引物の重量が決まる。
【００３６】
様々な実施例におけるシロアリ駆除用組成物中のシロアリ誘引物の分量は、シロアリ駆除用組成物36gあたり少なくとも約5gである（つまり、シロアリ駆除用組成物1gあたり少なくとも約0.13gのシロアリ誘引物を含有する）。
【００３７】
例えば、室内で使用することを前提とした実施例のシロアリ駆除用組成物の場合には、シロアリ駆除用組成物約70gあたり約10gのおがくずを含有する。
【００３８】
別の実施例の例えば屋外で使用することを前提としたシロアリ駆除用組成物の場合には、シロアリ駆除用組成物約130gあたり約30gのおがくずを含有する。
【００３９】
別の発明では、シロアリ駆除用組成物の中におがくずとセルロースパウダーを含有するものもあり、この場合には、シロアリ駆除用組成物約36gあたり約0.5gから約1gのセルロースパウダー、および約5gから約10gのおがくずを含有する。
【００４０】
シロアリ駆除用組成物は少なくとも一つの線虫個体群を含んでいる。線虫は人間に影響を与えないので無毒であると考えられる。しかしながら、線虫はシロアリの毒作用を引き起こすことができる。
【００４１】
具体的には、線虫個体群の中の線虫がシロアリの気門，口または肛門を通ってシロアリに進入できる。典型的には、シロアリの死を引き起こすのに約1〜10匹の線虫で十分または大体十分期待されるところ、約25匹までの線虫が一度にシロアリを寄生することができる。
【００４２】
線虫はシロアリの体内に入ると、通常、シロアリの血流に移行して、自身の便乗バクテリア（例えば、ゼノラブダス(Xenorhabdus)属のバクテリア）をシロアリの血流の中に放つ。便乗バクテリアはシロアリを汚染し駆除することができる毒素を生産・分泌するので、線虫に寄生されたシロアリは線虫に進入されてから約24〜約48時間以内に典型的に死に至る。
【００４３】
毒素以外に、便乗バクテリアはシロアリの死骸の腐敗を起こす腐敗菌を阻止する抗生物質も放出する。これにより、死骸の腐敗が遅れるので何日もの間、死骸の中の便乗バクテリアは繁殖・倍化し続けることができる。
【００４４】
そして、数の増えた便乗バクテリアはシロアリ死骸中の線虫の食料源としての役割をする。線虫は成長するので、何度かの脱皮と産卵とを経て、それによって他の生きている（例えば、シロアリのコロニーあるいは巣にいる）シロアリに寄生可能なより多くの線虫の子孫を産み出す。
【００４５】
いくつかの実施例では、線虫の子孫は死骸から出て寄生するための新しいシロアリを探し回る。他の実施例では、コロニーにおいて寄生されて死んだシロアリが他のシロアリに食べられるときに、線虫の子孫が他のシロアリの体に直接移る。線虫とコロニー内の他のシロアリの血流内の便乗バクテリアとが広範囲にわたって増殖・拡散することで、シロアリコロニーの絶滅と削減が達成される。
【００４６】
代表的な実施例においては、少なくとも一つ以上の線虫個体群をスタイナーネマ属から選択すればよい。特に、シロアリ駆除用組成物の線虫個体群として、タイ国のカムペーンペット（Kamphaeng Phet）地方で分離・採取されたスタイナーネマ（Steinernema）属の線虫の種（strain）（この種をスタイナーネマ・エスピー（Steinernema sp.）という）を用いることができる。
【００４７】
典型的に、従来種の線虫は線虫の発育を補助するバクテリアの添加を必要とする二者培養の培地を使って繁殖させることができる。この方法による線虫の繁殖は、バクテリアの添加と、線虫繁殖後に続いて行うバクテリアの分離とに起因する、望ましくない複雑な生産手順と費用とを伴う。
【００４８】
しかしながら、従来種の線虫と異なり、このスタイナーネマ・エスピー（Steinernema sp.）は、培地からバクテリアの添加・分離をする複雑な追加行程を必要としない無菌培地をつかった大量処理による繁殖が可能である。
【００４９】
加えて、このスタイナーネマ・エスピー（Steinernema sp.）は他の線虫種より高い繁殖力を示す。例えば、25gのKDSM培地（人工培地）あたり平均約15,000,000〜20,000,000の線虫が、約20,000匹の線虫を用いた10日間の繁殖で得られる。
【００５０】
さらに、この特定種の線虫はまた高成長率（例えば、従来種より2倍大きい）を示す。高成長と繁殖率とにより、線虫の繁殖のために必要な期間はより短期間（例えば、10日）ですむ。
【００５１】
それ故に、スタイナーネマ・エスピー（Steinernema sp.）の無菌培地での繁殖の適性と高成長・繁殖率によって、従来種の線虫の量産に比較して、スタイナーネマ・エスピー（Steinernema sp.）では、単純でより効率的で費用効果が高い製造方法を使用した大量生産を可能としている。
【００５２】
従来の線虫は周囲環境の変化に一般的に敏感で、非常に敏感なこともある。温度・湿度・水分量のような要因の小さな変化または比較的小さな変化でも線虫の生存率に悪い影響を与える。しかしながら、従来種の線虫と異なり、スタイナーネマ・エスピー（Steinernema sp.）はそれらの周囲環境の状況にそれほど影響されない。
【００５３】
特に、スタイナーネマ・エスピー（Steinernema sp.）はより広い温度範囲の変動に耐える能力を示し、そして熱に対する回復力がある性質を有している。具体的には、スタイナーネマ・エスピー（Steinernema sp.）は約20〜37℃の温度に耐えることができるのに対して、従来種はせいぜい約15〜27℃の温度に耐えることしかできない。
【００５４】
したがって、スタイナーネマ・エスピー（Steinernema sp.）は周囲環境の温度変化にそれほど影響されにくく、従来種の線虫と異なり比較的高い残存可能性を有している。
【００５５】
結果として、スタイナーネマ・エスピー（Steinernema sp.）を含有するシロアリ駆除用組成物の効力は、周囲環境の状況による影響をそれほど受けない、そして、従来種の線虫を含有するシロアリ駆除用組成物と異なり、さらに厳しい温度条件下での輸送・保管・使用を可能としている。
【００５６】
種々の具体例において、上述のスタイナーネマ・エスピー（Steinernema sp.）によるシロアリ殺虫処理は、シロアリ根絶のためにこれまで用いられている線虫種による処理よりも好適である。
【００５７】
特に、スタイナーネマ・エスピー（Steinernema sp.）の線虫の場合、当該線虫がシロアリに寄生してから約6時間の速さで殺虫することができる。約28時間から30時間後のシロアリ殺虫率は約100％である。このような高いシロアリ殺虫率からみて、スタイナーネマ・エスピー（Steinernema sp.）はシロアリ根絶に最適な線虫種といえる。
【００５８】
さらに、スタイナーネマ・エスピー（Steinernema sp.）はシロアリの死骸内部における生存および増殖への高い適応性を示している。例えば、シロアリ死亡時の死骸内部に存在した約25匹の線虫が、シロアリ死後9日以内に約200匹から720匹の範囲に増加する。
【００５９】
このような線虫個体群の急速な増加にともない、線虫は、速く広範に伝播して広がることができ、他のシロアリ及び／又はシロアリコロニー内の残りのシロアリに寄生可能である。
【００６０】
シロアリ駆除用組成物は、シロアリに対する効率性のため、シロアリへの寄生能力を備えた十分に多くの線虫を含んでいる。
【００６１】
種々の実施例におけるシロアリ駆除用組成物は、そのグラムあたり、約5000〜10,000匹（例えば約7000匹）の線虫を有する。
【００６２】
例えば屋内使用の実施例におけるシロアリ駆除用組成物は、その約70ｇ中に、少なくとも約500,000匹の線虫を有している。代表的な実施例におけるシロアリ駆除用組成物は、その70ｇにつき、約500,000匹の線虫を有している。他の屋外使用の実施例におけるシロアリ駆除用組成物は、その約130ｇ中に、少なくとも約1,000,000匹の線虫を有している。
【００６３】
シロアリ駆除用組成物は、この他、線虫個体群を包理，収容，運搬するためのゲル状媒体（medium），ゲル状物質（substance），ゲル状担体（carrier）を含んでいる。
種々の実施例では、ゲル状媒体，ゲル状物質，ゲル状担体の中に線虫を封じ込めることにより、線虫の寿命が効果的に延びている。
【００６４】
シロアリ駆除用組成物中の線虫の寿命を延ばすためゲル状媒体を選択できる。
この選択は、
(1)ゲル状媒体に含まれる線虫の活性度や自動性を減じ、
(2)線虫にとっての好適な生存環境を生成する、
ためである。
【００６５】
線虫の活動，移動を制限するために、粘性のあるゲル状媒体が選択される。ゲル状媒体の粘性は、線虫の自動性や移動性を抑えるために十分高く設定されるべきである。しかしながらゲル状媒体は、線虫を完全に動けなくするべきではない。すなわち、シロアリ駆除用組成物に侵入するシロアリの方向に移動する、そしてシロアリの中に移動しようとする線虫能力を制限すべきではない。
【００６６】
また、線虫の活動を制限する上で線虫への好適な餌の供給が制限される。そのため、ゲル状媒体，ゲル状物質，ゲル状担体には、線虫の餌源を供給しない、すなわち当該餌源として作用することのない媒体，物質，担体を選択すべきである。
【００６７】
線虫の養分摂取が減じるのともない、線虫は、低下したエネルギーレベルを有して、それに応じた低レベルの活動をし、これにより減少した量のエネルギーを使っている。このような低いエネルギー消費によって線虫の寿命および生存能力が延び、その結果、シロアリ駆除用組成物の有効期間も長くなる。
【００６８】
線虫の好適な生存環境を生成するため、ゲル状媒体，ゲル状物質，ゲル状担体は保水性を示すものでなければならない。水分は殺虫の生存のための必須要素であり、シロアリ駆除用組成物の線虫個体群が利用可能な水分量は、線虫の生存率に直接影響する。それゆえ、線虫の生存能力を維持するための十分な水分を供給して、シロアリ駆除用組成物の中にいつも水分（例えば蒸留水）がいつも含まれるようにする。
【００６９】
しかし、一般にシロアリ誘引物（例えばセルロース）は親水性であるため、シロアリ駆除用組成物中のシロアリ誘引物要素は当該組成物中の水分をほとんど吸収する可能性がある。そして、この水分吸収作用が、ある時間経過後の線虫の利用可能水分量を制限する。
【００７０】
この問題を解決するため、選択された、シロアリ駆除用組成物中のゲル状媒体，ゲル状物質，ゲル状担体が、線虫に必要な水分をしまい込んで保持する
【００７１】
ゲル状媒体をポリマー（例えば粉砕ポリマー）で生成した実施例では、シロアリ駆除用組成物は、そのグラムあたり、少なくとも約0.5mLの水分を含んでいる。
【００７２】
例えば屋内使用の実施例におけるシロアリ駆除用組成物は、その約70ｇに、約60mLの水分を含んでいる。他の屋外使用の実施例におけるシロアリの摂餌要素は、その約130ｇに、約100mLの水分を含んでいる。
【００７３】
ポリマーゲルを上述の媒体，担体として用いる他の実施例では、ポリマーゲルがいくらかの水分を含んでいるため、少量の水分を加えている。この場合、シロアリ駆除用組成物の約36ｇに、少なくとも10mLの水分が加えられる。
【００７４】
代表的な実施例では、約10mLから40mLの水分がポリマーゲルに加えられる。
【００７５】
また、ゲル状媒体，ゲル状物質，ゲル状担体は温度遮断性状に基づいて適切に選択される。特に、良好な熱絶縁物の媒体，担体を選択してその内部に包理された線虫は、周辺環境で生じ得る気温の不安定さ，厳しい温度から実質的，効率的に保護される。
【００７６】
この保護により、線虫の好適な生存環境が設定され、望ましくない、すなわち厳しい温度変化に基づく線虫の死亡率が減少する。
【００７７】
好適なゲル状媒体，ゲル状物質，ゲル状担体の選択にともない、シロアリ駆除用組成物に含まれる線虫の寿命は一ヶ月から四ヶ月へと延びる。
【００７８】
ある実施例では、四ヶ月末で約86％という高い線虫生存率が確認できた。適切に選択されたゲル状媒体，ゲル状物質，ゲル状担体は、この高い線虫生存率に加え、線虫の周辺環境に対する線虫損失を減じている。この理由は、線虫が、自らの生存にとってより最適なエリアへと移動しやすいからである。
【００７９】
ゲル状媒体，ゲル状物質，ゲル状担体を、線虫生存条件が周辺環境下よりもシロアリ駆除用組成物内部の方が好適となるように選択すれば、シロアリ駆除用組成物は、シロアリへの寄生によって消失する当該組成物の内部に、より多くの線虫を効率的に保持できる。
【００８０】
特に、線虫は、(1)その生存に好適，最適な温度で、(2)高い水分レベルを示し、(3)温度の不安定さから保護してくれる媒体に、誘引される傾向にあり、このような線虫のニーズに応じたゲル状媒体を選択することができる。
【００８１】
シロアリ駆除用組成物の好適環境では、線虫の、当該組成物の外へ移動しようとする性向が低くなる。そのため当該組成物は、シロアリ個体群に寄生して防除するのに合理的な量の線虫を供給できる。
【００８２】
シロアリ駆除用組成物で用いるのに適したゲル状媒体，ゲル状物質，ゲル状担体の例は、ポリマーゲル，砕いた高分子結晶に水分を加えて得られるポリマーゲル，商業的に利用可能なクリスタルソイル（crystal soil）やポリマーソイル（polymer soil）などである。
【００８３】
ゲル状媒体，ゲル状物質，ゲル状担体を生成するのに適したポリマーは、ポリアクリルアミド，酢酸ビニルエチレン共重合体，ポリアクリル酸，ポリアクリル酸ナトリウム，アルギン酸ヒドロゲルの一つまたは複数を含んでいる。
【００８４】
これらのポリマーは、特にその商業的利用性，低コストおよび無毒性のため、ゲル状媒体を生成するのに適している。
【００８５】
代表的実施例のゲル状媒体はポリアクリルアミドを含んでいる。種々の実施例のシロアリ駆除用組成物は、そのグラムあたり少なくとも略0.0035gの粉砕ポリマーを含んでいる。
【００８６】
例えばいくつかの屋内使用の実施例におけるシロアリ駆除用組成物は、その約70gに少なくとも約0.3gの粉砕ポリマーを有し、当該粉砕ポリマーは約60mLの水分を含んでいる。
【００８７】
また、例えば他の屋外使用の実施例におけるシロアリ駆除用組成物は、その約130gに少なくとも約0.5gの粉砕ポリマーを有し、当該粉砕ポリマーは少なくとも約100mLの水分を含んでいる。
【００８８】
いくつかの実施例におけるシロアリ駆除用組成物は、そのグラムあたり少なくとも約0.25gのポリマーゲルを含んでいる。例えば約36gのシロアリ駆除用組成物は少なくとも約10gのポリマーゲルを含んでいる。
【００８９】
いくつかの実施例のシロアリ駆除用組成物は、線虫以外の、生得的な殺虫剤要素を含んでいる。この殺虫剤要素もまたシロアリに対する殺虫能力を有している。これらの殺虫剤要素はシロアリの根絶作用を高めるための第二の要素として作用する。
【００９０】
本来の主たる殺虫剤要素、すなわち線虫の実効性の減少を避けるため、シロアリ駆除用組成物中の付加的殺虫剤要素は線虫の生存に対して何ら害を出すべきではない。
好適なシロアリ抑制剤の例としては昆虫病原物質，菌類病原体，酵母などがある。
【００９１】
シロアリ駆除用組成物の各要素は別々の担体，容器，区画に集められて詰められる。特にシロアリ誘引物は通常、ゲル状媒体や線虫とは別々に詰められて収容される。これはシロアリ誘引物が概して親水性を有するからである。
【００９２】
そのため、シロアリ誘引物が線虫やゲル状媒体と一緒に詰められると、線虫およびゲル状媒体の混合物中の水分がシロアリ誘引物に吸収されて、線虫のニーズに応じるための水分供給量が足りなくなる。
【００９３】
十分な水分供給が行われないと線虫の寿命が短くなり、シロアリ駆除用組成物の有効期間が短くなる。
【００９４】
概してシロアリ誘引物は第一の容器，容器部分に収容され、ゲル状媒体をともなう線虫は第二の容器，容器部分に収容される。
【００９５】
第一，第二の容器，容器部分の内容物を混合単一化して、シロアリ駆除用組成物の投与，使用前に当該シロアリ駆除用組成物を得ることができる。
【００９６】
いくつかの実施例の第一，第二の容器，容器部分は二つの別々の袋状バッグ，箱，チューブからなっている。
【００９７】
第一または第二の容器の内容物を、それぞれの使用前の容器や容器部分にあらかじめ包装，シールする。
【００９８】
シロアリ駆除用組成物を作るため、第一および第二の容器の内容物を混ぜ、振って単一化する。
【００９９】
いくつかの実施例では、投与や仕掛け餌構成物展開の前の混合のため、第一，第二の容器の一方の内容物を他方に送っている。また、第一，第二の容器それぞれの内容物を第三の容器で、投与前に混合してもよい。
【０１００】
図２において、第一の容器，容器部分210および第二の容器，容器部分220がそれぞれ、多区画容器200の第一および第二の区画になっている。この構成において、シロアリ誘引物212を収容する第一の区画210と、線虫222およびゲル状媒体224を収容する第二の区画220とは、セパレータ，間仕切り部材230で分離されている。
【０１０１】
セパレータ230は安定した不浸透性の材質からなり、もろい部分を含んでいる。このもろい部分は、壊す、穴をあける、取り除くことなどができるので、シロアリ誘引物と、線虫およびポリマーとの混合作業を、シロアリ駆除装置100での混合投与に先立って簡単に行える。
【０１０２】
セパレータ230の代表例には、ボール紙，プラスチック，ポリマーフィルムなどが含まれる。セパレータ230が親水性のシロアリ誘引物をゲル状媒体から分離するので、ゲル状媒体は水分を保持して、当該ゲル状媒体内の線虫が必要な水分を供給することができる。
【０１０３】
このような形のシロアリ駆除用組成物の収容によって、詳細に後述するように、当該組成物の有効期間を実効的に延長し、かつ、より簡単で便利なシロアリ駆除装置への当該組成物の投与方法を提供している。
【０１０４】
図1で開示されるシロアリ駆除装置100は屋外設置に適している。シロアリ駆除装置100は主にシロアリの侵入によって被害を受けたところ、あるいは、そのもっとも近いところに置く。
【０１０５】
いくつかの実施例において、シロアリ駆除装置100の下部本体102は地中にしっかりと固定する。シロアリ駆除装置100の上部104は地上に出るようにする。
【０１０６】
概してシロアリは日光を直接浴びることを避けるため、地中を移動する性状を有している。
【０１０７】
したがってシロアリ駆除装置100を地中に設置することで、地下にある蟻道を阻止できる。また、装置を完全に地上におくことより、相対的にシロアリ駆除の機会が事実上増加する。さらに、上部104を地上に残すことにより、利用者は容易にシロアリ駆除装置100に近づいて監視することができる。
【０１０８】
一般的には、シロアリ駆除装置100は外側収容部120を含む。外側収容部120は、その内部のもう一つの内側収容部110を受けて保持、保有するために使用される。
【０１０９】
外側収容部120は、長方形や円筒形または、底面と側壁を有する形であればどんな形もなりえる。
【０１１０】
外側収容部120が長方形容器の場合、その長さと幅は、外径で約6cmから約11cmである。さまざまな実施例において、長方形の外側収容部の長さと幅は約9cm（例えば8.7cm）にすることができる。
【０１１１】
円筒状の外側収容部120の外径は約6cmから約11cmの間である。いくつかの実施例の円筒収容部の内径は約9cm（例えば8.7cm）である。さまざまな実施例で、外側収容部120は高さ約10cmから13cmの間である。いくつかの実施例では、外側収容部120の高さは約12cmである。
【０１１２】
実施例の詳細においては、外側収容部120は安定かつ不透明な任意の材料で作ることができる。
【０１１３】
シロアリ駆除装置100は、ある程度の期間にわたって使用されるのが望ましく、その外側収容部の材料としては当該装置の使用予定期間よりも材料耐用年数が長いものを選ぶ。一般的に材料の耐用年数として少なくとも約10カ月から12カ月が必要である。
【０１１４】
外側収容部120を作るのに適した材料例にはプラスチックが含まれる。代表的実施例の外側収容部は生分解性プラスチックで作成されている。
【０１１５】
さまざまな実施例では、外側収容部120は、少なくとも一つの外側収容部の穴、開口または開口部122を含む。
【０１１６】
開口部122は、シロアリ駆除装置100にシロアリが入るためのアクセスポイントとなる。外側収容部120にある開口部122のサイズ、数、形状や位置は、シロアリ駆除装置100にシロアリが容易にアクセスできるように変化させることができる。
【０１１７】
例えば、開口部の大きさによってシロアリのシロアリ駆除装置100への侵入が阻害されない限り、開口部122の寸法は実施例によって異なる。
【０１１８】
このように、外側収容部の開口部122の断面積は、シロアリの体予想サイズ、すなわちシロアリの最大断面（例えば、成長したシロアリや、それより大きいシロアリの想定直径）に相当する。
【０１１９】
さまざまな実施例において、開口部122の大きさは、長さ約8mmから12mmの間でかつ幅約3mmから6mmの間、または、直径約4mmから6mmの間になる。
【０１２０】
代表的な実施例においては、開口部122は、長さ約10mmかつ幅約3mm、または、直径4mmである。
【０１２１】
開口部122のそれぞれのサイズに応じて、開口部の数もまた変えることができる。開口部が大きい実施例では、より少ない数の開口部でよい。
【０１２２】
より小さい開口部を持つ外側収容部120の場合は、それに応じて、シロアリ駆除装置100の内部への侵入力を高めるためにより多くの開口部を外側収容部120につくればよい。
【０１２３】
外側収容部120は図1に示されている実施例のように、楕円形の開口部122を含んでいる。しかしながら、任意の開口部122は、シロアリがよういに入ったり通り抜けたりするのに十分な大きさがあれば、本質的に任意の形状にすることができる。例えば、開口部122は、長方形、三角形や円形にすることができる。
【０１２４】
開口部122は装置100の高さに沿って配することができる。開口部122の分布は、目的の場所または設置の仕方、または、装置100の配置による。
【０１２５】
外側収容部120の開口部は、装置100の設置後、地上に開口部122が出るように一般的には配置する。
【０１２６】
開口部122の主な機能は、シロアリが装置100に入りやすくすることである。通常、開口部122は、物によってさえぎられないように場所をきめて配置される。
【０１２７】
特に石や砂のような物体による開口部122の目詰まりや、妨害は、シロアリが自由にアクセスする通り道を確保するために避ける必要がある。
【０１２８】
さらに、そのような地上での開口部の配置が、本質的または一般的に、開口部122を通してシロアリ駆除装置100内に、水分や土の粒子が落下、浸透するのを防ぐ。
【０１２９】
後ほど詳述するように、水分や土壌粒子の装置内部への漏出、とりわけ内側収容部110と外側収容部120との間の空間域への水分や土壌粒子の漏出は、その周囲環境での線虫損失を引き起こしやすい。
【０１３０】
部分的に地上に配置されている図1のような実施例においては、開口部122は、分散される、すなわち外側収容部の側壁の上側20％から50%にまたがる上部104に分散して配置される。
【０１３１】
開口部122が形成されていない外側収容部下部102が地中に埋め込まれているとき、開口部122が形成された外側収容部上部104は、地上に出たままである。
【０１３２】
このような実施例では、地下を這ったり、シロアリ駆除装置100に誘引されているシロアリらは、外側収容部下部の102よって妨害される可能性がある。
【０１３３】
しかしながら、シロアリは一般的に、その感覚システムを利用することによって、装置100に収容済みのシロアリ誘引物を探知する。また、地上に出ている開口部122を通して、シロアリ駆除用組成物に向かう道を発見することができる。
【０１３４】
例えば、屋内装置のように装置が地面に直接おかれている実施例においては、開口部122は、装置100の広範囲な部分，違う部分にわたって配置できる（例えば実質的に装置100の高さ全体にわたって）。
【０１３５】
再度図1を参照する。装置100の実施例は内側収容部110を含む。内側収容部110は、
線虫含有のシロアリ駆除用組成物を受けて保持、保有するために使われる。
【０１３６】
線虫含有のシロアリ駆除用組成物は、市販されているシロアリ駆除用組成物または製剤、いかなるものでもよい。
【０１３７】
または、前述したように、本開示の実施例に従ったどんな組成物でもよい。概して、線虫含有のシロアリ駆除用組成物は、装置100へシロアリを引き付けるシロアリ誘引物、およびシロアリ殺虫用媒体（agents）として働く線虫個体群を含む。
【０１３８】
さまざまな実施例では、内側収容部110は物質的または本質的に、シロアリ駆除用組成物で完全に満たすことができる。
【０１３９】
代表的な実施例では、シロアリ駆除用組成物を、内側収容部110の壁面の少なくとも95％の高さまで満たすことができる。
【０１４０】
前述のように典型的には、事前にパックされた、または事前に量ってあるシロアリ駆除用組成物は、ある量のシロアリ駆除用組成物を含む。このシロアリ駆除用組成物の量は、空の内側収容部をいっぱいにする（例えば、すくなくとも内側収容部の95%）程度である。
【０１４１】
例えば事前にパックされたシロアリ駆除用組成物を使う実施例の場合、屋外使用目的のシロアリ駆除装置におけるシロアリ駆除用組成物は、約125gから130gである。屋内使用目的の事前パックのシロアリ駆除用組成物は約70gである。
【０１４２】
シロアリ駆除用組成物は、装置100へのシロアリの侵入程度に応じて定期的に内側収容部110に補充される。一般的に、一回分はシロアリに数日（例えば約7日）で食べられる。
【０１４３】
そして、シロアリ駆除装置100に次の回の分が加えられる。代替案として、事前にパックするシロアリ駆除用組成物の質量、重さ、量を変える、例えば通常の一回分の30%または50%に変更してからパックしてもよい。
【０１４４】
このことによって利用者は、より少量の事前パックされたシロアリ駆除用組成物を使える。内側収容部のシロアリ駆除用組成物のレベルが一定レベルを下回ると、内側収容部内に残っているシロアリ駆除用組成物につぎ足すことができ、これによりシロアリ駆除装置100を効率的に作動させて、最適化できる。
【０１４５】
様々な実施例では、内側収容部110は、外側収容部120（の例えば内部）に取り付けられる形状と大きさのものである。
【０１４６】
いくつかの実施例では、内側収容部110は、外側収容部120と一体構造を形成する固定構造にすることができる。内側収容部110はまた、外側収容部120と半永久的にくっついた一体構造とすることができる。
【０１４７】
ほかの実施例では、内側収容部110は、取り外し可能な構造である。例えば、外側収容部120から取り外すことができる単一のユニットである。内側収容部110はまた、外側収容部120の内部空間を区分けする一組の壁（例えば二枚の側壁）で形成してもよい。
【０１４８】
ある実施例では、内側収容部110は、側壁と底面からなる中空の長方形や円筒形またはその他の形をした構造にすることができる。内側収容部110の構造が長方形の場合の実施例では、内側収容部110の長さおよび幅を約4cmから6cmの間に設定している。
【０１４９】
代表的な実施例では、長方形の内側収容部の長さおよび幅は約5cmである。内側収容部110が円筒構造の実施例では、内側収容部110の外径は約4cmから6cmの間である。
【０１５０】
ある実施例の円筒コンテナーの外径は約5cmである。さまざまな実施例の内側収容部110の高さは約7cmから12cmの間である。ある実施例の内側収容部110の高さは約10.5cmある。
【０１５１】
外側収容部120と同様に、内側収容部110は、安定かつ不透明であれば、いかなる材料のものでもよい。また、目的の使用期間より耐用年数が長い材料で作られる。それに加え、内側収容部110の材料は硬いものである。
【０１５２】
なぜならば、シロアリ駆除装置100の使用期間において、当該シロアリ駆除装置が、水分や、線虫を含むシロアリ駆除用組成物にさらされることによって崩れることを防ぐためである。
【０１５３】
内側収容部は、その内部に、所定使用期間を超えて、シロアリ駆除用組成物を収容、保存できることが必要である。内側収容部110の作成に適した材料例としてプラスチックがある。代表的な実施例の内側収容部110は生分解性プラスチックで作成されている。
【０１５４】
内側収容部110は、一つまたは複数の内側収容部の穴、開口または開口部112を含む。内側収容部110の開口部112は、シロアリが内側収容部110に侵入するのを可能にし、内側収容部110の中にある線虫を含むシロアリ駆除用組成物のところに来て接触するのを可能にする。
【０１５５】
このように、内側収容部の開口部112は、シロアリの体の予想サイズまたは最大断面積（例えば、成長した働くシロアリの直径）に相当する断面積が必要である。開口部112のサイズ、形状は、内側収容部110に、シロアリが容易にはったり通過したりを侵入するために、十分に大きく設定される。
【０１５６】
それに加え、開口部112の大きさは、内側収容部110からシロアリの誘引物の過度の損失しないようなサイズを選ぶ。
【０１５７】
ある実施例の開口部112は、直径約4mmから6mmの円形である。代表的な実施例の開口部112はそれぞれ、少なくとも4mmの直径からなる円形である。
【０１５８】
代替の実施例の長方形開口部112は、長さ約8mmから12mmの間で、幅約3mmから6mmの間の長方形である。代表的な実施例の長方形開口部は少なくとも幅3mm、長さ10mmの長方形である。
【０１５９】
シロアリに多くのアクセスポイントを提供するために、開口部112は、内側収容部110のすべての高さに形成される。多くの実施例の開口部112は、内側収容部110の下部（例えば内側収容部110の底面から約1cmのところ）を除いた任意の高さに配置され、これにより内側収容部110から外部へと向かう線虫の損失量を抑えることができる。
【０１６０】
線虫は、生き延びるためにより有利な環境、例えば、装置100の周りの土壌環境に移行しようとする。内側収容部110の開口部112を通って装置100の外に線虫が這って出る可能性を有している。
【０１６１】
このような線虫移動による損失を避けるため、内側収容部110は、外側収容部120に、
内側開口部112を形成した内側収容部の壁が外側収容部120の壁との間隔を有する形で設けられている。
【０１６２】
内側収容部110は例えば、外側収容部120の隅の方または、底面の中央に設定されて、内側収容部壁（例えば内側収容部の開口部112）とすべての外側収容部壁（例えば外側収容部の開口部122）との間に隙間、すなわちバリアを設けることができる。
【０１６３】
内側収容部110と外側収容部120の壁間の領域の存在により、内側収容部110からの線虫の過度の損失を防いでいる。
【０１６４】
とりわけ、装置100が、内側収容部110と外側収容部120との間の領域，バリアを備えていない、または壁に開口部を備えただけの単一区画からなる容器であれば、装置100に収容された線虫たちは、直接、容器から外部の土壌に直接這い出しやすい。
【０１６５】
そのような状況下では、シロアリ駆除装置に存在する線虫の数が、不法侵入したシロアリに十分群がるには足りないといった場合がありえる。他方、実施例の内側収容部110の壁と外側収容部120の壁との隙間は、装置100から外部に続く線虫の通り道に、乾燥した嫌気媒体を形成する。
【０１６６】
生き延びるためにこのような嫌気媒体を避けるという線虫の習性のおかげで、内側収容部110から這い出す線虫が、装置100の外部に這い出るのを防ぐことができる。加えて、内側収容部110の壁と外側収容部120の壁との隙間によって、内側収容部110から這い出た線虫が当該隙間にキャッチされ、また保持されることができる。
【０１６７】
これにより、内側収容部壁と外側収容部壁との間の残留線虫がシロアリに作用し、また、利用者が必要に応じてこの残留線虫を内側収容部110に戻すことができる。
【０１６８】
様々な実施態様では、内側収容部の開口部112を形成した内側収容部110と外側収容部の開口部122を形成した外側収容部120との間隔は少なくとも約0.5cm（例えば約1cm以上）とする。代表的な態様では、内側収容部110の壁と外側収容部120の壁との間隔は約1cmから3cmの間である。
【０１６９】
それに加え、シロアリ誘因装置100はカバー体130を備えている。装置100の内側収容部110の線虫の損失を防ぐために、カバー体130は、装置100のオープントップの部分または端につける。
【０１７０】
概して、線虫は、装置の底のほうに動く習性がある。しかしながら、いくつかの例では、線虫は、より多くの空気を得ようと試みて、底から這い上がる。
【０１７１】
そのような例では、カバー体130は、装置100の端の上の開口部から、装置100の外に線虫が移動するのを十分に阻止できる。このことが、装置100から線虫が減ることの低減化、防止に役立っている。
【０１７２】
それに加え、カバー体130は、内側収容部と外側収容部との隙間内に、水や他の物質が落ちたり沈殿したりするのを防ぐ。沈殿した水分や物質は、内側収容部110から外側収容部120の外側へと線虫が移動するための理想的な橋渡し物質になりえる。
【０１７３】
カバー体130は外側収容部120に結合できる形状と寸法のものである。更に詳細に言うと、カバー体130は、外側収容部120の上端開口受け部分（例えば外側収容部の上部104の隣接部分）に結合できる形状と寸法のものである。
【０１７４】
ある実施例では、カバー体130がその開いた状態から閉じた状態に簡単に移動できるように、当該カバー体を外側収容部120に取り付けている。カバー体130の扱いやすさにより、利用者は、新鮮なシロアリをおびき寄せる組成物を装置100に簡単に補充することができる。
【０１７５】
代表的な実施態様では、蝶番またはほかの保持部品により、カバー体130が外側収容部120に接続される。典型的には、シロアリ駆除用組成物を三日から五日おきに、または一週間から二週間おきに観察し、必要に応じて当該組成物を補充したり替えたりする。
【０１７６】
図1のシロアリ駆除装置100は屋外設置用の形状，構造で作成されている。シロアリ駆除装置の当業者であれば、屋内設置用の他の実施例の異なった構造，形状などを理解できる。例えば図3で開示されるシロアリ駆除装置300は、屋内設置用の構造，形状と寸法のものである。するように構造、設置、採寸さられている。
【０１７７】
シロアリ駆除装置300は、内側収容部310、内側収容部の穴または開口部312、外側収容部320、外側収容部の穴または開口部322、カバー体330およびシロアリ駆除用組成物
からなっている。
【０１７８】
ほとんどの実施例において、シロアリ駆除装置300の内側収容部310、内側収容部の開口部312、外側収容部320、外側収容部の開口部322およびカバー体330はそれぞれ、図1のロアリ駆除装置100の内側収容部110、内側収容部の開口部112、外側収容部120、外側収容部の開口部122およびカバー体130と同様の構造と機能を備えている。
【０１７９】
しかしながら、シロアリ駆除装置300は概して、地面に近接したところまたは、シロアリの出没でダメージを受けたところに置かれる。
【０１８０】
外側収容部320の開口部322は、開口部122と異なる形状からなり、および／またはシロアリ駆除装置100とは異なる部分に設けられている。例えば当該開口部は、外側収容部の低部分（例えば下側10％から50%の範囲）に分布させ、またそれにそって沿って配置することができる。外側収容部320は、その下部に単一開口部322を有している。
【０１８１】
本願発明の実施例では、線虫の寿命を伸ばしたり、線虫の生存力を高めたり、周囲への線虫損失を減少させることにより、シロアリへ侵入してそれを制御するのに十分な量の線虫を供給している。
【０１８２】
さらに、シロアリ駆除用組成物やシロアリ駆除装置で使用されている個々の要素は、通常簡単に入手でき、低コストである。さらに重要なことは、使用される材料は、人間や環境に有害ないかなる材料も含んでいないことである。
【０１８３】
したがって、シロアリ駆除用組成物やシロアリ駆除装置は、シロアリの侵入の制御のために使用されている現在の他の技術よりも、より効果的で、より信頼性が高く、より速く、非毒性でコスト効率の高い技術である。
【０１８４】
さらに実施例のシロアリ駆除装置100,200は、持ち運びでき、簡単に使用でき、実践できる。屋外でも屋内でも、利用者が設置するのに適している。
【０１８５】
したがって、以上の複数の実施例に対応したシロアリ駆除用組成物およびシロアリ駆除装置は、シロアリの侵入を制御するのに、万能で、便利で、速く、コスト効率の高い技術である。
【０１８６】
以上の実施例は、シロアリ以外の害虫，虫の駆除に使用できる。例えば、線虫の毒素に影響されやすい駆除対象虫（例えば幼虫やキノコバエ）に使用できる。
【０１８７】
以上の記述では、図面を参照しながら実施例を説明している。本発明は、本開示事項またはその精神から逸脱することなく、多くの変更および修正をすることができる。請求項の範囲と同様に本願発明の開示範囲は以上の実施例に限定されるものではない。
【図１】
2012528592.tif 000003
【図２】
2012528592.tif 000004
【図３】
2012528592.tif 000005
【国際調査報告】
2012528592.tif 000006
2012528592.tif 000007